(57)【要約】【課題】  伸縮可能で、かつ、手摺の底面と目地プレートの間の隙間を塞ぐことができる手摺を提供すること。【解決手段】  左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられ、床面との間の隙間を塞ぐ閉塞部材とで構成され、前記一方の端部手摺は、その内側面に支持レールを備え、前記中間手摺の一端部側には該支持レールを転動するローラーを備える。【選択図】  図１
2018100483.tif 000002
【特許請求の範囲】
【請求項１】
左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられ、床面との間の隙間を塞ぐ閉塞部材とで構成され、
前記一方の端部手摺は、その内側面に支持レールを備え、前記中間手摺の一端部側には該支持レールを転動するローラーを備える手摺。
【請求項２】
前記一方の端部手摺、中間手摺及び他方の端部手摺の底面は、略同じ高さに形成されていることを特徴とする請求項１に記載の手摺。
【請求項３】
左右の躯体間の目地部に設けられる手摺であって、前記左右の躯体にそれぞれ対向するように設けられた一対の端部手摺と、該一対の端部手摺が挿入され、底面及び側面に開口を有する一対の中間手摺と、該中間手摺が挿入されるとともに、該中間手摺にスライド移動可能に両端部が支持され、底面及び側面に開口を有する中央手摺と、該中央手摺及び中間手摺を所定の位置に位置させる位置調整機構と、前記一対の端部手摺、一対の中間手摺及び中央手摺の底部にそれぞれ設けられ、床面との間の隙間を塞ぐ閉塞部材とで構成され、
前記中央手摺は、その内側面に支持レールを備え、前記一対の中間手摺の中央手摺側の端部には該支持レールを転動するローラーをそれぞれ備える手摺。
【請求項４】
前記一対の端部手摺、一対の中間手摺及び中央手摺の底面は、略同じ高さに形成されていることを特徴とする請求項３に記載の手摺。
【発明の詳細な説明】
【技術分野】
【０００１】
本発明は目地部を介して設けられた躯体の間の目地部に設けられる手摺に関する。
【背景技術】
【０００２】
従来、目地部に設けられる手摺としては、「目地部を介して設けられた左右の躯体に他方の躯体方向へ突出するように設けられた一対の端部壁と、この一対の端部壁がそれぞれスライド移動可能に入り込む、該一対の端部壁の先端部が中央部に位置し、外側端部が一対の端部壁のほぼ中央部に位置する一対の筒状の可動壁と、この一対の筒状の可動壁がそれぞれスライド移動可能に入り込む外側端部が、該一対の筒状の可動壁のほぼ中央部に位置する一対の筒状の可動壁の約２倍の長さの筒状の中央壁と、両端部が前記一対の端部壁に取付けられ、地震により目地部が広くなったり、狭くなるように揺れ動いた場合に、前記中央壁を目地部の中央部に位置させるとともに、一対の筒状の可動壁をスライド移動させて、その揺れ動きを吸収する壁伸縮装置とからなることを特徴とする伸縮壁」が知られている（特許文献１）。
【０００３】
しかしながら、このような伸縮壁（手摺）は、手摺の底面が目地プレートよりも上方に浮いた状態で位置しており、かつ、筒状の壁部材に、小さい壁部材が入り込む構造となっているため、壁部材の底面に目地プレートとの隙間を塞ぐゴム等を設けることができなかった。
【０００４】
また、伸縮壁の底面が段差状になっているため、目地プレート側に隙間を塞ぐゴム等を設けることもできなかった。
そのため、例えば小銭や小物を誤って落としてしまった場合、手摺と目地プレートの隙間から落下物が階下に落ちるという危険があった。
【先行技術文献】
【特許文献】
【０００５】
【特許文献１】特許第４６３８５２０号公報
【発明の概要】
【発明が解決しようとする課題】
【０００６】
本発明は以上のような従来の欠点に鑑み、伸縮可能で、かつ、手摺の底面と目地プレートの間の隙間を塞ぐことができる手摺を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の手摺は、左右の躯体間の目地部に設けられる手摺であって、前記躯体の一方の躯体に設けられ、少なくとも底面及び他方の躯体側の側面に開口を有する一方の端部手摺と、該一方の端部手摺に対して前記躯体の他方の躯体に設けられた他方の端部手摺と、前記一方の端部手摺と他方の端部手摺の間に介在し、その一端部側が前記一方の端部手摺内部に挿入されるとともに、他端部側に前記他方の端部手摺が挿入され、底面及び側面に開口を有する中間手摺と、該中間手摺を所定の位置に位置させる位置調整機構と、前記一方の端部手摺、中間手摺及び他方の端部手摺の底部にそれぞれ設けられ、床面との間の隙間を塞ぐ閉塞部材とで構成され、前記一方の端部手摺は、その内側面に支持レールを備え、前記中間手摺の一端部側には該支持レールを転動するローラーを備える。
【０００９】
また、本発明の手摺は、左右の躯体間の目地部に設けられる手摺であって、前記左右の躯体にそれぞれ対向するように設けられた一対の端部手摺と、該一対の端部手摺が挿入され、底面及び側面に開口を有する一対の中間手摺と、該中間手摺が挿入されるとともに、該中間手摺にスライド移動可能に両端部が支持され、底面及び側面に開口を有する中央手摺と、該中央手摺及び中間手摺を所定の位置に位置させる位置調整機構と、前記一対の端部手摺、一対の中間手摺及び中央手摺の底部にそれぞれ設けられ、床面との間の隙間を塞ぐ閉塞部材とで構成され、前記中央手摺は、その内側面に支持レールを備え、前記一対の中間手摺の中央手摺側の端部には該支持レールを転動するローラーをそれぞれ備える。
【発明の効果】
【００１０】
以上の説明から明らかなように、本発明にあっては次に列挙する効果が得られる。
（１）請求項１及び請求項４に記載の各発明においては、一方の手摺（中央手摺）及び中間手摺の底面が開口しているので、一方の端部手摺、中間手摺及び他方の端部手摺の底部に閉塞部材を設けても、この閉塞部材が干渉することなく手摺を伸縮させることができる。
（２）一方の端部手摺（中央手摺）、中間手摺及び他方の端部手摺に床面との間の隙間を塞ぐ閉塞部材それぞれ設けられているので、手摺と床面との間から小物等が階下へ落下することを確実に防止できる。
（３）請求項２及び請求項５に記載の各発明においても、前記（１）〜（２）と同様な効果が得られる。
【図面の簡単な説明】
【００１１】
図１乃至図１０は本発明の第１の実施形態を示す説明図である。
図１１乃至図１４は本発明の第２の実施形態を示す説明図である。
図１５乃至図２１は本発明の第３の実施形態を示す説明図である。
【図１】第１の実施形態を示す手摺の設置状態の平面図（通常時）。
【図２】図１の２−２線に沿う断面図。
【図３】図１の３−３線に沿う断面図。
【図４】手摺の説明図。
【図５】一方の端部手摺の斜視説明図。
【図６】中間手摺の斜視説明図。
【図７】他方の端部手摺の斜視説明図。
【図８】地震で目地部が狭くなった正面視側からの動作説明図。
【図９】地震で目地部が広くなった正面視側からの動作説明図。
【図１０】地震で躯体が異なる前後方向に揺れ動いた状態の平面視側からの動作説明図。
【図１１】第２の実施形態を示す手摺の設置状態の平面図（通常時）。
【図１２】図１１の１２−１２線に沿う断面図。
【図１３】手摺の説明図。
【図１４】中間手摺の斜視説明図。（ａ）第１の中間手摺の斜視説明図。（ｂ）第２の中間手摺の斜視説明図。
【図１５】第３の実施形態を示す手摺の設置状態の平面図（通常時）。
【図１６】図１５の１６−１６線に沿う断面図。
【図１７】図１５の１７−１７線に沿う断面図。
【図１８】手摺の説明図。
【図１９】中央手摺の斜視説明図。
【図２０】地震で目地部が狭くなった正面視側からの動作説明図。
【図２１】地震で目地部が広くなった正面視側からの動作説明図。
【発明を実施するための形態】
【００１２】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４間に設置された手摺である。
なお、左右方向とは図８における左右方向であり、前後方向とは図３における左右方向をいい、上下方向とは図３における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
この手摺１は、一方の端部手摺５と、中間手摺７と、他方の端部手摺６が左右の躯体３、４の間（目地部２）に「入れ子状」に組み合わせられている。
【００１５】
すなわち、図１乃至図４に示すように、その一端部（被取付部）５ａが一方の躯体３に取り付けられ、底面及び他方の躯体側の側面に開口を有する一方の端部手摺５と、該一方の端部手摺５に対して前記他方の躯体４に設けられた他方の端部手摺６と、前記一方の端部手摺５と他方の端部手摺６の間に介在し、その一端部側が前記一方の端部手摺５の内部に挿入されているとともに、他端部側が前記他方の端部手摺６に支持され、底面及び両側面に開口を有する中間手摺７と、該中間手摺７を所定の位置に位置付けさせるパンタグラフ状の位置調整機構８と、前記一方の端部手摺５、中間手摺７及び他方の端部手摺６と床面との間の隙間を塞ぐ（取付状態によっては微小な隙間があいていてもよい）閉塞部材９で構成されている。
【００１６】
なお、一方の躯体３と他方の躯体４の間の目地部２は床用目地プレート１０によって塞がれており、前記閉塞部材９は、この床用目地プレート１０の床面（上面）と一方の端部手摺５、中間手摺７及び他方の端部手摺６の各底面との間の隙間又は他方の躯体４の渡り廊下１１の床面と一方の端部手摺５、中間手摺７及び他方の端部手摺６の各底面との間の隙間を塞ぐものである。
【００１７】
前記一方の躯体３は、図１乃至図３等に示すように、本実施形態においては他方の躯体４と対向する位置に開口部１２が形成されており、他方の躯体４の該開口部１２に対応する部位には、渡り廊下１１が形成されている。
本発明の手摺１はこの開口部１２の側部の壁面と、渡り廊下１１の突出部位の間に設けられるものである。
【００１８】
一方の端部手摺５は、本実施形態においては図５に示すように、正面視略長方形状で、その一端部５ａが一方の躯体３に取付部材１３を介して取り付けられている。なお、この取付部材１３を介して取り付けられる部位には、凸部状の被取付部５ａが形成されている。一方の手摺部材５は、底部及び突出端部の側面が開口しており、突出端部の端面は下向きコ字状に形成されている。
【００１９】
一方の手摺部材５の内側の両側面には、それぞれ左右方向に延在する支持レール１４が設けられている。
【００２０】
中間手摺７は、本実施形態においては図６に示すように、正面視略長方形状で底面及び左右の側面が開口しており、断面視で下向きコ字状の断面形状に形成されている。
この中間手摺７の一方の躯体３側の端部付近の外側面には、支持レール１４を転動するローラー１５が設けられている。このローラー１５によって中間手摺７の一方の躯体３側が支持される。
【００２１】
中間手摺７の内側の両側面には、それぞれ左右方向に延在するガイドレール１６が設けられている。このガイドレール１６は、本実施形態においては、断面視略アングル形状で、前記ローラー１５よりも低い位置に設けられている。
【００２２】
このガイドレール１６を下側から後述する支持ローラー１７が支持することにより、中間手摺７の他方の躯体４側が支持される。
なお、本実施形態では支持レール１４とガイドレール１６はそれぞれ一対設けているが、この一対の支持レール１４や一対のガイドレール１６を上下方向に所定間隔を隔てて複数個設けてもよい。
【００２３】
他方の端部手摺６は、本実施形態においては図７に示すように、正面視略長方形の板状の部材で、その一端部が他方の躯体４の渡り廊下１１の突出端部に取付部材１３を介して取り付けられている。
【００２４】
他方の手摺部材６は、本実施形態では突出端部側の外側面には、支持ローラー１７がそれぞれ設けられている。この突出端部側は中間手摺７内部に挿入され、前記支持ローラー１７は、中間手摺７のガイドレール１６を支持した状態となる。
一方の端部手摺５、他方の端部手摺６、中間手摺７は、それぞれ目地部２の約１／２程度の長さに形成されている。
【００２５】
左右の端部手摺５、６を取り付けている取付部材１３は、一方の躯体３の壁面又は渡り廊下１１の突出端部の壁面に固定される固定部材１８と、該固定部材１８に前後方向に回動可能に取り付けられるとともに、端部手摺５、６を上下方向に回動可能に取付ける取付ピン１９を備える可動部材２０とで構成されている。
【００２６】
左右の端部手摺５、６は、この可動部材２０の取付ピン１９して上下方向に回動可能に取り付けられる。このように取付けることにより、左右の躯体３、４のいずれかが不等沈下したような場合であっても、その動きに追従することができる。
【００２７】
本実施形態においては不等沈下した場合に左右の端部手摺５、６が可動部材２０に干渉しないように、可動部材と端部手摺５、６の間に若干の隙間を有して取り付けているが、端部手摺５、６の躯体側の側面を緩やかな山型（取付ピン１９の位置が頂点となるような山型）に形成してもよい。
【００２８】
前記中間手摺７は、支持レール１４を転動するローラー１５及びガイドレール１６を支持する支持ローラー１７によって支持され、左右の端部手摺５、６に支持された状態で取り付けられる。
【００２９】
なお、支持レール１４やガイドレール１６を備えているため、一方の端部手摺５と中間手摺７及び中間手摺７と他方の端部手摺６には横方向に隙間が生じるが、この隙間についてもパッキンや後述する閉塞部材８のようなゴム板等で塞ぐことが望ましい。
【００３０】
位置調整機構８は、本実施形態においてはパンタグラフ状のリンク部材２１を用いており、その一端部が一方の端部手摺５の内部を通過して、一方の端部手摺５の一方の躯体３側の内部壁面に取り付けられ、その他端部は、他方の端部手摺６の突出端部に取り付けられ、その中央枢支部２２は中間手摺７の一方の端部手摺５側の端部付近に位置する。この中央枢支部２２には、連結ピン２３が設けられており、この連結ピン２３の両端部は中間手摺７の内側側面に固定される。これにより、中間手摺７は一方の端部手摺５と他方の端部手摺６の略中間に位置することができる。
【００３１】
閉塞部材９は、本実施形態においては板ゴムで形成されており、一方の端部手摺５、中間手摺７及び他方の端部手摺６の底面に横長のヒレ状にそれぞれ固定される。付言すると、その上下方向の長さは、床面と一方の端部手摺５、中間手摺７及び他方の端部手摺６の間の隙間よりも長く形成されており、その下端部が床面に押圧され外側に湾曲している。このような寸法にすることにより、確実に床面との隙間を塞ぐことができる。
【００３２】
また、前記一方の端部手摺５及び中間手摺７は、その底面が開口しているため、地震によって目地部２が狭くなった場合等も、閉塞部材９が隣接する手摺に衝突すること等がない。
【００３３】
前記床用目地プレート１０は、本実施形態においては、一方の躯体３の開口部１２の下部壁面に固定された前後方向に延在する目地プレート支持レール２４にその一端部が滑り部材等を介して前後方向にスライド移動可能に支持されるとともに、前記渡り廊下１２の床面にその他端部が左右方向にスライド移動可能に支持される。この目地プレート１０の他端部には、床面との段差を解消するように傾斜面２５が形成されている。
【００３４】
本実施形態においては、目地プレート１０は一枚の板状のものであるが、例えば、浅皿状の目地プレートにモルタル等を充填した目地プレートや、その他公知の目地プレートを用いてもよい。
【００３５】
地震で躯体３、４が左右方向に揺れ動き目地部２が狭くなると、図８に示すように、目地プレート１０は渡り廊下１１の床面を左右方向にスライド移動するとともに、中間手摺７が一方の手摺５の内部に入り込み、かつ、他方の手摺６が中間手摺７の内部に入り込むことにより手摺１が縮小し、地震による揺れ動きを吸収する。
【００３６】
地震で躯体３、４が左右方向に揺れ動き目地部２が広くなると、図９に示すように、目地プレート１０は渡り廊下１１の床面を左右方向にスライド移動するとともに、中間手摺７が一方の手摺５の内部に入り込んでいる長さが小さくなり、ライド移動するとともに、中間手摺７が一方の手摺５の内部に入り込み、かつ、他方の手摺６が中間手摺７の内部に入り込んでいる長さが小さくなることにより、手摺１が伸長し、地震による揺れ動きを吸収する。
【００３７】
地震で躯体３、４が異なる前後方向に揺れ動くと、図１０に示すように、一方の端部手摺５を取り付けている可動部材２０及び他方の端部手摺６を取り付けている可動部材２０が前後方向に回動し、地震による揺れ動きを吸収する。
【００３８】
[発明を実施するための異なる形態]
次に、図１１乃至図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１１乃至図１４に示す本発明を実施するための第２の形態において、前記本発明を実施するための第１の形態と主に異なる点は、複数の手摺部材を用いて中間手摺７Ａを形成した点で、このような手摺１Ａにしても、前記本発明を実施するための第１の形態と同様の作用効果を得ることができる。
【００３９】
付言すると、中間手摺７Ａは、本実施形態においては複数個の中間手摺７Ａは、本実施形態では第１の中間手摺７ａ及び第２の中間手摺７ｂとで構成されている。
【００４０】
第１の中間手摺７ａは、正面視略長方形状で底面及び左右の側面が開口しており、断面視で下向きコ字状の断面形状に形成され、一方の躯体３側の端部付近の外側面には、支持レール１４を転動するローラー１５が設けられている。このローラー１５によって第１の中間手摺７ａの一方の躯体３側が支持される。
【００４１】
第１の中間手摺７ａの内側面には、左右方向に延在するガイドレール１６ａが上下方向に所定間隔を隔てて設けられている。このガイドレール１６ａは、本実施形態においては、断面視略リップ溝形状に形成されている。
【００４２】
第２の中間手摺７ｂは、正面視略長方形状で底面及び左右の側面が開口しており、断面視で下向きコ字状の断面形状に形成され、第１の中間手摺７ａ側の端部付近の外側面には、第１の中間手摺７ａのガイドレール１６を転動するローラー１５が設けられている。第１の中間手摺７ａのガイドレール１６とこのローラー１５によって、第１及び第２の中間手摺７ａ、７ｂは略一体化し、中間手摺７Ａを構成する。
【００４３】
また、第２の中間手摺７ｂの内側面にもガイドレール１６を備えており、このガイドレール１６を他方の端部手摺６の支持ローラー１７が支持する。第２の中間手摺７ｂのガイドレール１６は、略アングル形状に形成されている。
【００４４】
本実施形態では、位置調整機構８Ａとして、複数個の中央枢支部２２を有するリンク部材２１が用いられる。このリンク部材２１の中央枢支部２２の連結ピン２３は第１の中間手摺７ａ及び第２の中間手摺７ｂにそれぞれ取り付けられる。
【００４５】
図１５乃至図２１に示す本発明を実施するための第３の形態において、前記本発明を実施するための第１の形態と主に異なる点は、左右の躯体３、４にそれぞれ対向するように設けられた一対の端部手摺６と、該端部手摺６が挿入されるとともに、該端部手摺６にスライド移動可能に支持され、底面及び側面に開口を有する一対の中間手摺７と、該中間手摺７が挿入されるとともに、該中間手摺７にスライド移動可能に両端部が支持され、底面及び側面に開口を有する中央手摺２６と、該中央手摺２６及び中間手摺７を所定の位置に位置させる位置調整機構８Ａと、前記一対の端部手摺６、一対の中間手摺７及び中央手摺２６の底部にそれぞれ設けられ、床面との間の隙間を塞ぐ閉塞部材９とで構成されている点で、このような手摺１Ａにしても、前記本発明を実施するための第１の形態と同様の作用効果を得ることができる。
【００４６】
中央手摺２６は、図１９に示すように、その内側面に左右に延在する支持レール１４を備え、この支持レール１４上をローラー１５が転動する。本実施形態においては、中央手摺２６の両端部は中間手摺７の上面に支持されているが、この中間手摺７の上面にローラー等を備えてもよい。
【００４７】
中間手摺２６は中間手摺７や端部手摺６の約２倍の長さに形成されており、本実施形態では目地部２の約１／２の長さとなっている。
【００４８】
位置調整機構８Ａは、本実施形態では３つの中央枢支部２２を有するリンク部材２１が用いられる。このリンク部材２１の中央枢支部２２の連結ピン２３は一対の中間手摺７及び中央手摺２６にそれぞれ取り付けられる。これにより中央手摺２６については、常時手摺１Ｂの中央部分に位置し、中間手摺７は、中央手摺２６と端部手摺６の間に位置する。
本実施形態の手摺１Ｂについても、前記第２の実施形態のように、複数個の中間手摺７Ａを備えるものとしてもよい。
【００４９】
なお、本発明の実施形態においては左右の端部手摺を前後上下方向に回動可能な取付部材を介して取り付けているが、ヒンジ部材のように前後方向にのみ回動可能な部材を介して取付けてもよいし、前後方向への揺れ動きを無視できるような場合には、左右の端部手摺を左右の躯体に固定的に取付けてもよい。
【００５０】
また、位置調整機構としてリンク部材を用いるものについて説明したが、例えば左右の躯体等にそれぞれバネ部材の一端部を固定し、これらのバネ部材の他端部を中央手摺や中間手摺に取り付け、任意の位置に位置するように付勢してもよい。
本発明の実施形態においては、他方の端部手摺や一対の端部手摺は本実施形態では中実の略直方体形状としたが、中空で突出端部が下向きコ字状のとなるような正面視長方形状としてもよい。
【産業上の利用可能性】
【００５１】
本発明は目地部に用いる手摺を製造する産業で利用される。
【符号の説明】
【００５２】
１、１Ａ、１Ｂ：手摺、              ２：目地部、
３：一方の躯体、                    ４：他方の躯体、
５：一方の端部手摺、                ６：他方の端部手摺、
７、７Ａ：中間手摺、                ８、８Ａ：位置調整機構、
９：閉塞部材、                      １０：床用目地プレート、
１１：渡り廊下、                    １２：開口部、
１３：取付部材、                    １４：支持レール、
１５：ローラー、                    １６：ガイドレール、
１７：支持ローラー、                １８：固定部材、
１９：取付ピン、                    ２０：可動部材、
２１：リンク部材、                  ２２：中央枢支部、
２３：連結ピン、                    ２４：支持レール、
２５：傾斜面、                      ２６：中央手摺。
【図１】
2018100483.tif 000003
【図２】
2018100483.tif 000004
【図３】
2018100483.tif 000005
【図４】
2018100483.tif 000006
【図５】
2018100483.tif 000007
【図６】
2018100483.tif 000008
【図７】
2018100483.tif 000009
【図８】
2018100483.tif 000010
【図９】
2018100483.tif 000011
【図１０】
2018100483.tif 000012
【図１１】
2018100483.tif 000013
【図１２】
2018100483.tif 000014
【図１３】
2018100483.tif 000015
【図１４】
2018100483.tif 000016
【図１５】
2018100483.tif 000017
【図１６】
2018100483.tif 000018
【図１７】
2018100483.tif 000019
【図１８】
2018100483.tif 000020
【図１９】
2018100483.tif 000021
【図２０】
2018100483.tif 000022
【図２１】
2018100483.tif 000023